(57)【要約】【課題】振動吸収材が吸収した振動を主要部材に戻すことなく完全に吸収することにより、音質改善効果を高める。【解決手段】振動吸収材として、塑性材を用いる。塑性材は、金属元素を０．５重量％〜１０重量％含む不乾性パテであることが好ましい。例えば、レコードプレイヤー１０は、ターンテーブル１１と、トーンアーム１３と、カウンターウェイト１４とを備える。トーンアーム１３は、内部に塑性材１３１が充填されたパイプ１３２を備える。カウンターウェイト１４は、内部に設けられた空洞１４２に塑性材１４１が充填されている。ターンテーブル１１の裏側には、塑性材１１１が塗り付けられている。【選択図】図１
2017111845.tif 000002
【特許請求の範囲】
【請求項１】
振動吸収材として、塑性材を用いた、音響再生装置。
【請求項２】
前記塑性材は、金属元素を０．５重量パーセント以上１０重量パーセント以下含む不乾性パテである、
請求項１記載の音響再生装置。
【請求項３】
前記音響再生装置は、
パイプを有するトーンアームと、
内部に空洞が設けられたカウンターウェイトと、
ターンテーブルと、
前記ターンテーブルを支える台と、
のうち少なくともいずれかを備えたレコードプレイヤーであり、
前記パイプの内部と、
前記カウンターウェイトの空洞と、
前記ターンテーブルの裏側と、
前記台の内側と、
のうち少なくともいずれかに前記塑性材が充填又は塗布されている、
請求項１または２記載の音響再生装置。
【請求項４】
前記音響再生装置は、スピーカボックスを備えたスピーカ装置であり、
前記スピーカボックスの内側に、前記塑性材が塗布されている、
請求項１または２記載の音響再生装置。
【請求項５】
前記スピーカボックスの外部に配置された第一のスピーカユニットと、
前記スピーカボックスの内部に配置され、前記第一のスピーカユニットと逆位相で駆動される第二のスピーカユニットと、
を更に備え、
前記第一のスピーカユニットの振動板の裏側に設けられた密閉空間と、前記第二のスピーカユニットの振動板の裏側に設けられた密閉空間とが連結され、
前記第一及び第二のスピーカユニットのうち少なくともいずれかの周囲に、前記塑性材が塗布されている、
請求項４記載の音響再生装置。
【発明の詳細な説明】
【技術分野】
【０００１】
本発明は、レコードプレイヤーやスピーカ装置などの音響再生装置に関する。
【背景技術】
【０００２】
音響再生装置は、物理的に振動する部材を有する。例えば、レコードプレイヤーは、アナログレコードの溝の凹凸を針の振動として検出することにより、レコードに記録された音響を電気信号に変換する。また、スピーカ装置は、電気信号を振動板の振動に変換することにより、電気信号によって表される音響を出力する。
しかし、物理的に振動することを意図された部材以外の部材が振動すると、再生される音響が歪み、音質が低下する。
特許文献１には、レコード盤の振動を抑制するため、熱可塑性エラストマを基材とするゲル部材と、ゴム部材とを積層したターンテーブルマットが記載されている。
【０００３】
特許文献２には、４つのスピーカユニットを組み合わせることにより、振動板の反作用と背圧とを同時にキャンセルするスピーカシステムが記載されている。
特許文献３には、密閉されたエンクロージャの内外にドライバを配置し、振動板の裏側の密閉空間をパイプで連結することにより、振動板の背圧をキャンセルするスピーカシステムが記載されている。
【先行技術文献】
【特許文献】
【０００４】
【特許文献１】特開２０１３−９３０７９号公報
【特許文献２】特開２０１２−１５６９７９号公報
【特許文献３】実登３１９１５４９号
【発明の概要】
【発明が解決しようとする課題】
【０００５】
熱可塑性エラストマやゴムなどの弾性体に振動を吸収させると、振動が減衰するまでの間、弾性体に振動が残る。この振動が音響再生装置の主要部材に戻ってきて、悪影響を及ぼし、音質改善効果が低くなる。
本発明は、振動吸収材が吸収した振動を主要部材に戻すことなく完全に吸収することにより、音質改善効果を高めることを目的とする。
【課題を解決するための手段】
【０００６】
本発明に係る音響再生装置は、振動吸収材として、塑性材を用いた。
前記塑性材は、金属元素を０．５重量パーセント以上１０重量パーセント以下含む不乾性パテであることが好ましい。
前記音響再生装置は、トーンアームを備えたレコードプレイヤーであり、前記トーンアームは、内部に前記塑性材が充填されたパイプを備えることが好ましい。
前記音響再生装置は、カウンターウェイトを備えたレコードプレイヤーであり、前記カウンターウェイトは、内部に設けられた空洞に前記塑性材が充填されていることが好ましい。
前記音響再生装置は、ターンテーブルを備えたレコードプレイヤーであり、前記ターンテーブルの裏側に、前記塑性材が塗布されていることが好ましい。
前記音響再生装置は、ターンテーブルを支える台を備えたレコードプレイヤーであり、前記台の内側に、前記塑性材が塗布されていることが好ましい。
前記音響再生装置は、スピーカボックスを備えたスピーカ装置であり、前記スピーカボックスの内側に、前記塑性材が塗布されていることが好ましい。
前記スピーカボックスの外部に配置された第一のスピーカユニットと、前記スピーカボックスの内部に配置され、前記第一のスピーカユニットと逆位相で駆動される第二のスピーカユニットと、を更に備え、前記第一のスピーカユニットの振動板の裏側に設けられた密閉空間と、前記第二のスピーカユニットの振動板の裏側に設けられた密閉空間とが連結され、前記第二のスピーカユニットの周囲に、前記塑性材が塗布されていることが好ましい。
前記第一のスピーカユニットの周囲に、前記塑性材が塗布されていることが好ましい。
【発明の効果】
【０００７】
本発明に係る音響再生装置によれば、振動吸収材として塑性材を用いたので、振動吸収材に吸収された振動は、すぐに減衰して熱に変換される。このため、振動吸収材に吸収された振動が主要部材に戻るのを防ぎ、音質改善効果を高めることができる。
塑性材として、金属元素を０．５重量％〜１０重量％含む不乾性パテを用いれば、安価な材料でありながら、適度な硬さと比重とを有するので、振動を効率良く吸収することができる。
レコードプレイヤーのトーンアームに、内部に塑性材が充填されたパイプを用いれば、トーンアームの振動を吸収できるので、レコードプレイヤーからの再生信号の歪みを抑えることができ、音質を改善することができる。
レコードプレイヤーのカウンターウェイトに、内部に設けられた空洞に塑性材が充填された金属塊を用いれば、カウンターウェイトの振動を吸収できるので、レコードプレイヤーからの再生信号の歪みを抑えることができ、音質を改善することができる。
レコードプレイヤーのターンテーブルの裏側に塑性材を塗布すれば、ターンテーブルの振動を吸収できるので、レコードプレイヤーからの再生信号の歪みを抑えることができ、音質を改善することができる。
スピーカ装置のスピーカボックスの内側に塑性材を塗布すれば、スピーカボックスの振動を吸収できるので、スピーカ装置が出力する音響の音質を改善することができる。
特に、スピーカボックスの外部と内部にスピーカユニットを配置し、両者の振動板の裏側の密閉空間をパイプで連結することにより、振動板の背圧の問題が解消されたスピーカ装置において、スピーカボックスの内側やそのなかのスピーカ装置の周囲に塑性材を塗布すれば、振動板の反作用による振動を吸収し、音質を更に改善することができる。
【図面の簡単な説明】
【０００８】
【図１】実施例１にかかるレコードプレイヤーを示す側面視一部断面図。
【図２】実施例２にかかるスピーカ装置を示す側面視一部断面図。
【発明を実施するための形態】
【０００９】
塑性材とは、力を加えたとき、弾性体のように弾性変形するのではなく、塑性変形する材料のことである。塑性材は、例えば、パテや粘土などである。なお、パテや粘土のなかには、乾燥すると硬くなるものが存在するが、硬くなってしまうと塑性変形しにくくなり、振動を吸収しにくくなる。このため、振動吸収材として用いる塑性材は、乾燥しない、あるいは乾燥しても硬くならないものが好ましい。
しかし、振動吸収材として用いる塑性材が柔らか過ぎると、小さな力で簡単に塑性変形してしまうので、吸収できるエネルギーが小さくなり、大きな振動を完全に吸収できなくなる。このため、振動吸収材として用いる塑性材には、適度な硬さが求められる。
【００１０】
また、振動吸収材として用いる塑性材は、比重が大きいものが好ましい。比重が大きいほど、同じ体積で吸収できるエネルギーが大きくなるからである。例えば、塑性材に金属や金属元素を含む化合物を練り込めば、比重を大きくすることができる。金属は、例えばチタンや鉄などの純金属や合金などである。金属元素を含む化合物は、例えば酸化チタンや酸化鉄などである。例えば、金属やその酸化物などを粉状にして塑性材に練り込む。塑性材全体に対する金属元素の重量比は、０．５％〜１０％程度が好ましい。金属元素の重量比が０．５％未満だと、塑性材の比重を大きくする効果が低く、１０％超だと、塑性材の加工性が落ちるからである。
なお、塑性材は、上述した条件を満たす材料であればよく、パテや粘土、あるいはそれに金属などを練り込んだものに限らず、他の材料であってもよい。
【００１１】
＜実施例１：レコードプレイヤー＞
図１に示すレコードプレイヤー１０は、音響再生装置の一例であり、アナログレコードを載せて回転するターンテーブル１１と、先端にピックアップユニット１２が装着されるトーンアーム１３と、トーンアーム１３のバランスをとるためのカウンターウェイト１４とを備える。
ターンテーブル１１は、略円形皿状であり、裏側のほぼ全面に塑性材１１１が塗布されている。
トーンアーム１３は、中空のパイプ１３２を備える。パイプ１３２は、内部に塑性材１３１が充填されている。
カウンターウェイト１４は、例えば金属製であり、内部を繰り抜くなどして空洞１４２が設けられている。空洞１４２のなかには、塑性材１４１が充填されている。
塑性材１１１，１３１，１４１には、セメダイン株式会社（東京都品川区）製の商品名「セメダイン  すきまパテ  白」（「セメダイン」は登録商標）を使用した。この塑性材は、無機質充填材に、オレフィン樹脂を１０％〜２０％、酸化チタン（ＩＶ）を１％〜５％含有させたものであり、比重は１．７ｇ／ｃｍ２である。
【００１２】
このように構成されたレコードプレイヤー１０でアナログレコードを再生したところ、非常に良好な音質改善効果が得られた。
【００１３】
なお、レコードプレイヤー１０では、３箇所に塑性材を配置しているが、このうちの２箇所のみに塑性材を配置し、他の１箇所には塑性材を配置しない構成であっても、十分に良好な音質改善効果が得られる。また、１箇所のみに塑性材を配置し、他の２箇所には塑性材を配置しない構成であっても、良好な音質改善効果が得られる。
また、ターンテーブル１１を支える台の内側など、音響の再生に伴って振動する部分であれば、上述した場所以外の場所に塑性材を配置する構成であっても、良好な音質改善効果が得られる。
【００１４】
＜実施例２：スピーカ装置＞
図２に示すスピーカ装置２０は、音響再生装置の一例であり、略直方体箱状で密閉されたスピーカボックス２１と、スピーカボックス２１の外部に配置されたスピーカユニット２２と、スピーカボックス２１の内部に配置されたスピーカユニット２３と、スピーカユニット２２とスピーカユニット２３とを連結するパイプ２４とを備える。
スピーカユニット２３は、スピーカユニット２２に入力される信号と逆位相の信号が入力されるよう配線され、これにより、スピーカユニット２２とは逆位相で駆動される。
スピーカユニット２２の振動板２２２の裏側には、フレーム２２４の内側に密閉空間２２３が設けられている。同様に、スピーカユニット２３の振動板２３２の裏側にも、フレーム２３４の内側に密閉空間２３３が設けられている。パイプ２４は、スピーカユニット２２の密閉空間２２３と、スピーカユニット２３の密閉空間２３３とを最短距離で連結している。
スピーカユニット２２とスピーカユニット２３とが逆位相で駆動されるので、振動板２２２の背圧と振動板２３２の背圧とは、逆位相であり、密閉空間２２３と密閉空間２３３とが連結されていることにより、振動板２２２の背圧と振動板２３２の背圧とが相殺してキャンセルされる。
スピーカボックス２１の内面には、ほぼ全面に塑性材２１１が塗布されている。
また、スピーカユニット２３の周囲には、フレーム２３４の外面ほぼ全面に塑性材２３１が塗布されている。なお、振動板２３２の部分には、塑性材は塗布されていない。
塑性材２１１，２３１には、実施例１と同じく、セメダイン株式会社製の商品名「セメダイン  すきまパテ  白」（「セメダイン」は登録商標）を使用した。
【００１５】
このように構成されたスピーカ装置２０で音響を再生したところ、振動板の反作用による振動が吸収され、非常に良好な音質改善効果が得られた。
【００１６】
なお、スピーカユニット２２の周囲など、音響の再生に伴って振動する部分であれば、上述した場所以外の場所に塑性材を配置する構成であっても、良好な音質改善効果が得られる。
また、このように背圧の問題を解消したスピーカ装置２０ではなく、他の構成のスピーカ装置であっても、スピーカボックスの内面やスピーカユニットの周囲などに塑性材を塗布することにより、良好な音質改善効果を得ることができる。
【００１７】
上述した実施例には、様々な修正や変更を加えてもよい。これは、当業者に容易に理解することができる。本発明は、上述した実施例に限定されることなく、添付の特許請求の範囲によって定義される範囲から逸脱することなく修正や変更を加えたものを含む。
例えば、音響再生装置は、音響の再生に伴って振動する部分を有する装置であれば、レコードプレイヤーやスピーカ装置に限られない。音響の再生に伴って振動する部分に塑性材を充填したり塗布したりすることにより、音質を改善することができる。
【符号の説明】
【００１８】
１０  レコードプレイヤー、１１  ターンテーブル、１１１，１３１，１４１，２１１，２３１  塑性材、１２  ピックアップユニット、１３  トーンアーム、１３２  パイプ、１４  カウンターウェイト、１４２  空洞、
２０  スピーカ装置、２１  スピーカボックス、２２，２３  スピーカユニット、２２２，２３２  振動板、２２３，２３３  密閉空間、２２４，２３４  フレーム、２４  パイプ。
【図１】
2017111845.tif 000003
【図２】
2017111845.tif 000004